(57)【要約】【課題】安定した維持放電を行い、さらに効率の高いプラズマ表示装置及びその駆動方法を提供する。【解決手段】本発明はプラズマ表示装置及びその駆動方法に関するものである。  このために、本発明はアドレス期間に、発光させないセルに対応する電極にアドレス電圧を印加して壁電荷を消去する段階及び維持期間に、第１電極に第１電圧から第１電圧より高い第２電圧まで持続的にトグルする第１パルス列を印加し、第２電極に第１パルスと同様形態を有して第１パルス列と異なるタイミングでトグルする第２パルス列を印加して維持放電させる段階を含み、維持期間は第１パルス列の電圧及び第２パルス列の電圧が全て第１電圧より高い重畳期間を含むプラズマ表示装置の駆動方法を提供する。【選択図】図４
2009122621.tif 000002
【特許請求の範囲】
【請求項１】
第１電極、第２電極、前記第１及び第２電極と交差する方向に形成される第３電極及び前記第１電極、前記第２電極及び前記第３電極によって定義される放電セルを含むプラズマ表示装置の駆動方法において、アドレス期間に発光させないセルに対応する前記第３電極にアドレス電圧を印加して壁電荷を消去する段階;及び維持期間に前記第１電極に第１電圧から前記第１電圧より高い第２電圧まで持続的にトグルする第１パルス列を印加し、前記第２電極に前記第１パルスと同様形態を有するものの前記第１パルス列と異なるタイミングでトグルする第２パルス列を印加して維持放電させる段階を含み、前記維持期間は前記第１パルス列の電圧及び前記第２パルス列の電圧が全て前記第１電圧より高い重畳期間を含むことを特徴とするプラズマ表示装置の駆動方法。
【請求項２】
前記重畳期間は、前記第１パルス列上昇期間の一部と前記第２パルス列下降期間の一部が重なる第１期間と、前記第１パルス列下降期間の一部と前記第２パルス列上昇期間の一部が重なる第２期間の中で少なくとも１つの期間を含むことを特徴とする、請求項１に記載のプラズマ表示装置の駆動方法。
【請求項３】
前記重畳期間は、前記第１パルス列の上昇期間と前記第２パルス列の下降期間が重なる第１期間と、前記第１パルス列の下降期間と前記第２パルス列の上昇期間が重なる第２期間の中で少なくとも１つの期間を含むことを特徴とする、請求項１に記載のプラズマ表示装置の駆動方法。
【請求項４】
前記重畳期間は、前記第１パルス列の電圧が前記第２電圧に維持される期間の一部と前記第２パルス列の電圧が前記第２電圧に維持される期間の一部が重なる期間を含むことを特徴とする、請求項１に記載のプラズマ表示装置の駆動方法。
【請求項５】
前記重畳期間は、前記第１パルス列の最後のパルスの電圧及び前記第２パルス列の最後のパルスの電圧が前記第１電圧より高い期間を含むことを特徴とする、請求項１乃至４のいずれか１項に記載のプラズマ表示装置の駆動方法。
【請求項６】
前記維持期間は、前記第１パルス列の電圧及び前記第２パルス列の電圧が全て前記第１電圧である非重畳期間をさらに含むことを特徴とする、請求項１乃至４のいずれか１項に記載のプラズマ表示装置の駆動方法。
【請求項７】
第１電極、第２電極、前記第１及び第２電極と交差する方向に形成される第３電極及び前記第１電極、前記第２電極及び前記第３電極によって定義される放電セルを含むプラズマ表示パネル;及び前記第１乃至第３電極を駆動する駆動部を含み、前記駆動部は、アドレス期間に発光させないセルに対応する前記第３電極にアドレス電圧を印加して壁電荷を消去させ、維持期間に前記第１電極に第１電圧から前記第１電圧より高い第２電圧まで持続的にトグルする第１パルス列を印加し、前記第２電極に前記第１パルス列と同様形態を有するものの前記第１パルス列と異なるタイミングでトグルする第２パルス列を印加して維持放電させるが、前記維持期間は前記第１パルス列の電圧及び前記第２パルス列の電圧が全て前記第１電圧より高い重畳期間を含むことを特徴とするプラズマ表示装置。
【請求項８】
前記重畳期間は、前記第１パルス列の最後のパルスの電圧及び前記第２パルス列の最後のパルスの電圧が前記第１電圧より高い期間を含むことを特徴とする、請求項７に記載のプラズマ表示装置。
【請求項９】
前記維持期間は、前記第１パルス列の電圧及び前記第２パルス列の電圧が全て前記第１電圧である非重畳期間をさらに含むことを特徴とする、請求項７に記載のプラズマ表示装置。
【発明の詳細な説明】
【技術分野】
【０００１】
本発明はプラズマ表示装置及びその駆動方法に関し、特にプラズマ表示装置の維持放電パルスを制御する方法に関するものである。
【背景技術】
【０００２】
プラズマ表示装置は気体放電によって生成されたプラズマを利用して文字または映像を表示する平面表示装置であって、その表示パネルはその大きさに応じて数十から数百万個以上の放電セル（以下、“セル”）がマトリックス形態で配列されている。
【０００３】
一般にプラズマ表示装置では１つのフレームが複数のサブフィールドに分割されて駆動され、複数のサブフィールドの中で表示動作が起こるサブフィールド加重値の組み合わせによって階調が表示される。各サブフィールドのアドレス期間の間に発光セルと非発光セルが選択され、維持期間の間に実際に映像を表示するために発光セルに対して維持放電が行われる。この時、アドレス期間の間にアドレス放電によって複数の発光セルのうちの一部発光セルに形成された壁電荷を消去して非発光セルに設定することができる。このために、一般的なプラズマ表示装置は各フレームの最初のサブフィールドでのみリセット動作を行ってすべての放電セルを発光セルに設定した後、アドレス期間の間に非発光セルを選択し、第２サブフィールドからはリセット動作を省略して直前のサブフィールドの発光セルの中で非発光セルを選択する。
【０００４】
しかし、このような一般的なプラズマ表示装置は１つのフレームに含まれる複数のサブフィールドのうちのいずれか１つのサブフィールド維持期間にセルフ消去（Ｓｅｌｆ-ｅｒａｓｉｎｇ）が発生して維持放電が失敗することがあり、維持放電が失敗すると次のフレームの最初のサブフィールドのリセット動作が行われる前まで持続的に維持放電が失敗することがある。また、維持放電が弱くなって壁電荷が十分に形成されない状態でアドレス動作が行われると非発光セルに設定するためのアドレス放電が失敗して不安定な状態のセルが存在して誤放電が起こる可能性もある。
【発明の開示】
【発明が解決しようとする課題】
【０００５】
本発明が目的とする技術的課題は、安定した維持放電を行い、さらに効率の高いプラズマ表示装置及びその駆動方法を提供することにある。
【課題を解決するための手段】
【０００６】
本発明の特徴によるプラズマ表示装置の駆動方法は第１電極、第２電極及び前記第１及び第２電極と交差する方向に形成される第３電極を含むプラズマ表示装置の駆動方法であって、アドレス期間に発光させないセルに対応する前記第３電極にアドレス電圧を印加して壁電荷を消去する段階及び維持期間に前記第１電極に第１電圧から前記第１電圧より高い第２電圧まで持続的にトグルする第１パルス列を印加し、前記第２電極に前記第１パルスと同様形態を有するものの前記第１パルス列と異なるタイミングでトグルする第２パルス列を印加して維持放電させる段階を含み、前記維持期間は前記第１パルス列の電圧及び前記第２パルス列の電圧が全て前記第１電圧より高い重畳期間を含むことを特徴とする。
【０００７】
また、本発明の特徴によるプラズマ表示装置は、第１電極、第２電極、前記第１及び第２電極と交差する方向に形成される第３電極及び前記第１電極、前記第２電極及び前記第３電極によって定義される放電セルを含むプラズマ表示パネル及び前記第１乃至第３電極を駆動する駆動部を含み、前記駆動部はアドレス期間に発光させないセルに対応する前記第３電極にアドレス電圧を印加して壁電荷を消去させ、維持期間に前記第１電極に第１電圧から前記第１電圧より高い第２電圧まで持続的にトグルする第１パルス列を印加し、前記第２電極に前記第１パルス列と同様形態を有するものの前記第１パルス列と異なるタイミングでトグルする第２パルス列を印加して維持放電させるが、前記維持期間は前記第１パルス列の電圧及び前記第２パルス列の電圧が全て前記第１電圧より高い重畳期間を含む。
【０００８】
本発明の特徴によると、安定した維持放電によって維持放電の均一度を高めることで放電染み及び明残像を改善すると同時に、効率の高いプラズマ表示装置及びその駆動方法を実現することができる。
【発明の効果】
【０００９】
本発明によるプラズマ表示装置及びその駆動方法は維持放電を安定的に行うことによって放電染み及び明残像を改善することができる。
【発明を実施するための最良の形態】
【００１０】
以下、添付した図面を参照して本発明の実施形態について本発明が属する技術分野における通常の知識を有する者が容易に実施できるように詳しく説明する。しかし、本発明は多様で相異なる形態で実現することができ、ここで説明する実施形態に限られない。そして図面で本発明を明確に説明するために説明と関係ない部分は省略し、明細書全体にわたって類似の部分については類似の図面符号を付けた。
【００１１】
明細書全体で、ある部分が何らかの構成要素を“含む”とする時、これは特に反対になる記載がない限り、前記何らかの構成要素以外の構成要素を除くことではなく、他の構成要素をさらに含み得ることを意味する。
【００１２】
また、本明細書で記載した壁電荷という用語はセルの壁（例えば、誘電体層）上で各電極の近くに形成される電荷を意味する。壁電荷は実際に電極自体には接触しないが、ここでは電極に“形成される”、“蓄積される”または“重なる”のように説明し、壁電圧は壁電荷によってセルの壁に形成される電位差のことを言う。
【００１３】
次に、本発明の実施形態によるプラズマ表示装置及びその駆動方法について図面を参照して詳細に説明する。
【００１４】
図１は本発明の実施形態によるプラズマ表示装置を示すブロック図である。
図１に示したように、本発明の実施形態によるプラズマ表示装置はプラズマ表示パネル１００、制御部２００、アドレス電極駆動部３００、走査電極駆動部４００、維持電極駆動部５００及び電源供給部６００を含む。
【００１５】
プラズマ表示パネル１００は列方向に伸びている複数のアドレス電極（Ａ１〜Ａｍ）、そして行方向に互いに対をなして伸びている複数の維持電極（Ｘ１〜Ｘｎ）及び走査電極（Ｙ１〜Ｙｎ）を含む。維持電極（Ｘ１〜Ｘｎ）は各走査電極（Ｙ１〜Ｙｎ）に対応して形成され、一般にその一端が互いに共通に連結されている。そしてプラズマ表示パネル１００は維持電極（Ｘ１〜Ｘｎ）及び走査電極（Ｙ１〜Ｙｎ）が配列された基板（図示せず）とアドレス電極（Ａ１〜Ａｍ）が配列された基板（図示せず）からなる。両基板は走査電極（Ｙ１〜Ｙｎ）とアドレス電極（Ａ１〜Ａｍ）及び維持電極（Ｘ１〜Ｘｎ）とアドレス電極（Ａ１〜Ａｍ）がそれぞれ直交するように放電空間を介して対向配置される。この時、アドレス電極（Ａ１〜Ａｍ）、維持電極（Ｘ１〜Ｘｎ）及び走査電極（Ｙ１〜Ｙｎ）の交差部にある放電空間がセルを形成する。このようなプラズマ表示パネル１００の構造は一例であり、以下で説明する駆動波形が適用できる他の構造のパネルも本発明に適用することができる。
【００１６】
制御部２００は外部から映像信号を受信してアドレス電極駆動制御信号Ｓａ、維持電極駆動制御信号Ｓｘ及び走査電極駆動制御信号Ｓｙを出力する。そして制御部２００は１つのフレームを複数のサブフィールドに分割して駆動し、各サブフィールドは時間的な動作変化で表現するとリセット期間、アドレス期間及び維持期間からなる。
【００１７】
アドレス電極駆動部３００は制御部２００からアドレス電極駆動制御信号Ｓａを受信して発光セルの中で非発光セルを選択するための表示データ信号を各アドレス電極に印加する。
【００１８】
走査電極駆動部４００は制御部２００から走査電極駆動制御信号Ｓｙを受信して走査電極Ｙに駆動電圧を印加する。
【００１９】
維持電極駆動部５００は制御部２００から維持電極駆動制御信号Ｓｘを受信して維持電極Ｘに駆動電圧を印加する。
【００２０】
電源供給部６００はプラズマ表示装置の駆動に必要な電源を制御部２００及び各駆動部（３００、４００、５００）に供給する。
【００２１】
以下、図２を参照して本発明の実施形態によるプラズマ表示装置の１つのフレームを構成するサブフィールド配列を説明する。
【００２２】
図２は本発明の実施形態によるプラズマ表示装置の１つのフレームを構成するサブフィールド配列を示す図面である。参考として、図２では１つのフレームに９個のサブフィールドが含まれることを示したが、これとは異なる個数のサブフィールドが１つのフレームに含まれてもよい。
【００２３】
図２に示したように、１つのフレームがそれぞれの輝度加重値を有する複数のサブフィールド（ＳＦ１〜ＳＦ９）を含む。複数のサブフィールド（ＳＦ１〜ＳＦ９）の中で最初のサブフィールドＳＦ１はリセット期間Ｒ、アドレス期間Ａ１及び維持期間Ｓ１を含み、その他のサブフィールド（ＳＦ２〜ＳＦ９）はそれぞれアドレス期間（Ａ２〜Ａ９）及び維持期間（Ｓ２〜Ｓ９）を含む。
【００２４】
リセット期間Ｒはアドレス電極（Ａ１〜Ａｍ）、維持電極（Ｘ１〜Ｘｎ）及び走査電極（Ｙ１〜Ｙｎ）によって定義される複数のセルに壁電荷を重ねて全て発光セルに設定する期間である。各サブフィールドのアドレス期間（Ａ１〜Ａ９）は放電セルと非放電セルを選択するために直前のサブフィールドの発光セルの中で非発光セルに設定するセルをアドレス放電させる期間である。つまり、アドレス期間（Ａ１〜Ａ９）はアドレス放電によって発光セルから壁電荷を除去して非発光セルを設定する期間である。各サブフィールドの維持期間（Ｓ１〜Ｓ９）は発光セルを当該サブフィールドの輝度加重値に相当する期間の間に維持放電させて画像を表示する期間である。
【００２５】
以下、図３を参照して一般的なプラズマ表示装置の駆動波形を説明する。
【００２６】
図３は一般的なプラズマ表示装置の駆動波形を示す図面である。参考として、図３に示した一般的なプラズマ表示装置の駆動波形は図２に示す１つのフレームに含まれる複数のサブフィールド（ＳＦ１〜ＳＦ９）の中でリセット動作を行う最初のサブフィールドＳＦ１を除く他のサブフィールド（ＳＦ２〜ＳＦ９）のうちの１つを示すものである。そして図３では説明の便宜上１つのセルを形成する走査電極Ｙ、維持電極Ｘ及びアドレス電極Ａに印加される駆動波形のみを示した。
【００２７】
まず、アドレス期間では非発光セルを選択するために維持電極ＸにＶｅ電圧を印加した状態で複数の走査電極Ｙに順次にＶｓｃＬ電圧（走査電圧）を有する走査パルスを印加する。これと同時に、ＶｓｃＬ電圧が印加された走査電極Ｙによって形成される複数のセルの中で非発光セルを通過するアドレス電極Ａにアドレス電圧Ｖａを印加する。これによってアドレス電圧Ｖａが印加されたアドレス電極ＡとＶｓｃＬ電圧が印加された走査電極Ｙの間及びＶｓｃＬ電圧が印加された走査電極ＹとＶｓｃＬ電圧が印加された走査電極Ｙに対応する維持電極Ｘの間でアドレス放電が起こって走査電極Ｙ、アドレス電極Ａ及び維持電極Ｘに形成されていた壁電荷が消去される。
【００２８】
維持期間では走査電極Ｙと維持電極Ｘにハイレベル電圧（図２ではＶｓ電圧）とローレベル電圧（図２では０Ｖ電圧）を交互に有する維持放電パルス列を反対位相で印加する。ここで、パルス列は所定の周波数で連続的にトグルするパルスの群を意味する。
【００２９】
これによって、走査電極ＹにＶｓ電圧が印加される時に維持電極Ｘに０Ｖ電圧が印加され、維持電極ＸにＶｓ電圧が印加される時に走査電極Ｙに０Ｖ電圧が印加され、アドレス放電によって走査電極Ｙと維持電極Ｘの間に形成された壁電圧とＶｓ電圧によって走査電極Ｙと維持電極Ｘで放電が起こる。その後、走査電極Ｙと維持電極Ｘに維持放電パルス列を印加する過程は当該サブフィールドが表示する加重値に対応する回数だけ反復される。
【００３０】
一方、維持期間で走査電極Ｙに０Ｖ電圧が印加され、維持電極ＸにＶｓ電圧が印加されて維持放電が起こると、走査電極Ｙとアドレス電極Ａに正の壁電荷が蓄積されて維持電極Ｘに負の壁電荷が蓄積される。この時、維持電極Ｘの電圧が０Ｖに下がって維持電極Ｘと走査電極Ｙに全て０Ｖ電圧が印加されると、壁電荷によってアドレス電極Ａの電位が維持電極Ｘの電位より高くなり、そのためにアドレス電極Ａと維持電極Ｘの間に弱放電が発生して壁電荷が消去（以下、“セルフ消去”）されることがある。同様に、維持電極Ａに０Ｖ電圧が印加された状態で走査電極Ｙの電圧がＶｓ電圧から０Ｖ電圧まで下がって走査電極Ｙと維持電極Ｘとも０Ｖ電圧が印加される場合にもセルフ消去が起こり得る。セルフ消去が発生すると、走査電極Ｙと維持電極Ｘ間の壁電圧が減って維持パルス列の放電が弱くなり、そのために維持放電が円滑に行われない問題が発生する。
【００３１】
以下、上述したセルフ消去を防止するための本発明の実施形態によるプラズマ表示装置の駆動波形を図４を参照して説明する。参考として、本発明の実施形態によるプラズマ表示装置の駆動波形は維持期間に走査電極Ｙ及び維持電極Ｘに印加する維持放電パルス列が図３に示す一般的なプラズマ表示装置の維持放電パルス列と異なるので、以下では本発明の実施形態によって維持期間に走査電極Ｙ及び維持電極Ｘに印加される維持放電パルス列について説明する。
【００３２】
図４は本発明の実施形態によって維持期間に走査電極Ｙ及び維持電極Ｘに印加される維持放電パルス列を示す図面である。参考として、図４で第１区間及び第２区間は維持期間のうちの一部期間を示す。また、図４で維持電極Ｘの電圧は実線で示し、走査電極Ｙの電圧は点線で示した。
【００３３】
図４に示したように、維持期間の第１区間には走査電極Ｙ及び維持電極Ｘに同時に０Ｖ以上の電圧が印加されない（以下、“非重畳維持放電パルス”）。そして維持期間の第２区間には走査電極Ｙの電圧がＶｓ電圧から０Ｖに下降する期間（以下、“下降期間”）と維持電極Ｘの電圧が０ＶからＶｓ電圧で上昇する期間（以下、“上昇期間”）が重なり（Ｍ１〜Ｍ３）、走査電極Ｙの上昇期間と維持電極Ｘの下降期間が重なる（Ｍ４〜Ｍ６）（以下、走査電極Ｙ及び維持電極Ｘに同時に０Ｖ以上の電圧が印加される維持放電パルスを“重畳維持放電パルス”）。重畳維持放電パルスを走査電極Ｙ及び維持電極Ｘに印加することによって、維持期間で走査電極Ｙの電圧が０Ｖである場合に常に維持電極Ｘの電圧が０Ｖより高く、維持電極Ｘの電圧が０Ｖである場合には常に走査電極Ｙの電圧が０Ｖより高くなるために、セルフ消去が発生せず、これによって安定した維持放電を実現することができる。
【００３４】
図４に示したように、維持期間に重畳維持放電パルスと非重畳維持放電パルスを混合して使用する理由は次の通りである。つまり、重畳維持放電パルスは維持放電は安定化させても消費電力対比輝度を低下させるので、電力効率を考慮する時に維持期間のうちの一部区間にのみ走査電極Ｙ及び維持電極Ｘに重畳維持放電パルスを印加することがより効率的で安定した維持放電を行うことができるためである。
【００３５】
一方、図４には非重畳維持放電パルスが印加される第１区間と重畳維持放電パルスが印加される第２区間の長さが類似して図示されているが、これとは異なって第１区間の長さを第２区間の長さより長くしたり短く設定できることは当然である。また、維持期間内に重畳維持放電パルスと非重畳維持放電パルスを何回も交互に印加できることも当然である。このような設定は回路設計者によって事前に固定的に設定することもでき、これとは異なってロードが大きくなるほど不安定になる維持放電の特性によってロードの高低に応じて重畳維持放電パルスの印加回数を調節するように設定することもできる。
【００３６】
そして、本発明の実施形態では維持期間で走査電極Ｙと維持電極Ｘに最後に印加される維持放電パルスを重ねて、次のサブフィールドのアドレス期間でアドレス放電が失敗しないようにすることができる。
【００３７】
一方、図４に示す重畳維持放電パルスは例示的なもので、維持期間の第２区間に維持電極Ｘ及び走査電極Ｙに印加される重畳維持放電パルスは図４に示すものと異なることもあり、これを図５及び図６を参照して説明する。参考として、図５及び図６で維持電極Ｘの電圧は実線で示し、走査電極Ｙの電圧は点線で示すことは図４と同様である。
【００３８】
図５は本発明の実施形態による重畳維持放電パルスの他の例を示す図面である。
【００３９】
図５に示した重畳維持放電パルスは図４に示した重畳維持放電パルスとは異なって、維持電極Ｘの上昇期間に走査電極Ｙの電圧はＶｓ電圧を維持し、維持電極Ｘの電圧がＶｓ電圧に到達する瞬間に、走査電極Ｙの下降期間が始まる。つまり、維持電極Ｘの上昇期間から走査電極Ｙの下降期間まで重畳維持放電パルスが印加され、これをＭ１'乃至Ｍ３'で示した。また、走査電極Ｙの上昇期間に維持電極Ｘの電圧がＶｓ電圧を維持し、走査電極Ｙの電圧がＶｓ電圧に到達する瞬間に維持電極Ｘの下降期間が始まる。つまり、Ｍ４'乃至Ｍ６'で示したように、走査電極Ｙの上昇期間から維持電極Ｘの下降期間まで重畳維持放電パルスが印加される。
【００４０】
図５に示す重畳維持放電パルスの重畳期間（Ｍ１'〜Ｍ６'）は図４に示す重畳維持放電パルスの重畳期間（Ｍ１〜Ｍ６）に比べて維持電極Ｘの電圧と走査電極Ｙの電圧がさらに長い時間重なり、これによってセルフ消去の発生危険をさらに減少させ得て安定した維持放電を実現することができる。
【００４１】
図６は本発明の実施形態による重畳維持放電パルスのまた他の例を示す図面である。
【００４２】
図６に示した重畳維持放電パルスは図４及び図５に示した重畳維持放電パルスとは異なって、維持電極Ｘの上昇期間に走査電極Ｙの電圧はＶｓ電圧を維持し、維持電極Ｘの電圧がＶｓ電圧に到達して、所定時間が過ぎた後に走査電極Ｙの下降期間が始まる。また、走査電極Ｙの上昇期間に維持電極Ｘの電圧がＶｓ電圧を維持し、走査電極Ｙの電圧がＶｓ電圧に到達して、所定時間が過ぎた後に維持電極Ｘの下降期間が始まる。これによって、図６に示す重畳維持放電パルスの重畳期間（Ｍ１"〜Ｍ６"）は図５に示す重畳維持放電パルスの重畳期間（Ｍ１'〜Ｍ６'）に比べて長くなるので、セルフ消去の発生危険をさらに減少させて安定した維持放電を実現することができる。
【００４３】
以上、本発明の実施形態について詳細に説明したが、本発明の権利範囲はこれに限定されず、請求範囲で定義している本発明の基本概念を利用した当業者の多様な変形及び改良形態もまた本発明の権利範囲に属する。
【図面の簡単な説明】
【００４４】
【図１】本発明の実施形態によるプラズマ表示装置を示すブロック図である。
【図２】本発明の実施形態によるプラズマ表示装置の１つのフレームを構成するサブフィールド配列を示す図面である。
【図３】一般的なプラズマ表示装置の駆動波形を示す図面である。
【図４】本発明の実施例によって維持期間に走査電極Ｙ及び維持電極Ｘに印加される維持放電パルス列を示す図面である。
【図５】本発明の実施形態による重畳維持放電パルスの他の例を示す図面である。
【図６】本発明の実施形態による重畳維持放電パルスのまた他の例を示す図面である。
【符号の説明】
【００４５】
１００    プラズマ表示パネル
２００    制御部
３００    アドレス電極駆動部
４００    走査電極駆動部
５００    維持電極駆動部
６００    電源供給部
【図１】
2009122621.tif 000003
【図２】
2009122621.tif 000004
【図３】
2009122621.tif 000005
【図４】
2009122621.tif 000006
【図５】
2009122621.tif 000007
【図６】
2009122621.tif 000008